(57)【要約】【課題】  遊技機の内部に備えられた電源装置への不正行為を防止する。【解決手段】  スロットマシンの収納箱の内部を上下に仕切る中板１２の下面に支持部材２７を介して電源装置２８を設ける。支持部材２７にはモータが内蔵されており、このモータの駆動軸を電源装置２８の軸受け８１に固定する。モータはドライバを介して制御回路により制御されており、制御回路は下扉の開閉に応じてモータを駆動させる。支持部材２７の下面に電源装置位置検出器８２の投光部を設ける。電源装置２８に電源装置位置検出器８２の第１受光部８２ｂと第２受光部８２ｃとを設ける。投光部と第１、第２受光部８２ｂ、８２ｃとの間で光線の送受を行わせる。受光を行った受光部は制御回路に検知信号を出力する。制御回路は、電源装置位置検出器８２からの検知信号に基づいてモータの駆動を停止させる。【選択図】        図７
2005211153.tif 000002
【特許請求の範囲】
【請求項１】
遊技の際の利益付与確率を変更するための設定変更操作部が設けられた電源装置と、
前記電源装置を収納する収納箱と、
前記収納箱に開閉自在に設けられ、前記収納箱の前面に形成された開口を閉塞する前面扉と、を備えた遊技機において、
前記前面扉を開いた際に、前記設定変更操作部が前記開口側を向くように前記電源装置を移動させ、前記前面扉を閉じた際に、前記設定変更操作部が、前記前面扉を開いたときの位置とは異なる位置に前記電源装置を移動させる移動装置を備えたことを特徴とする遊技機。
【請求項２】
前記移動装置は、前記電源装置を回転させる回転機構を備えていることを特徴とする請求項１記載の遊技機。
【請求項３】
前記移動装置は、前記電源装置をスライドさせるスライド機構を備えていることを特徴とする請求項１記載の遊技機。
【請求項４】
前記前面扉を開いた際に前記設定変更操作部を露呈し、前記前面扉を閉じた際に前記設定変更操作部を覆う蓋体と、この蓋体を開閉自在に保持するとともに、前記電源装置を保護するケース本体とからなる保護ケース内に前記電源装置を設置したことを特徴とする請求項３記載の遊技機。
【請求項５】
前記前面扉に、前記前面扉を開いた際に前記設定変更操作部を露呈し、前記前面扉を閉じた際に前記設定変更操作部を覆う被覆部材を設けたことを特徴とする請求項３記載の遊技機。
【請求項６】
前記電源装置を前記前面扉に向けて付勢する付勢部材を備え、前記前面扉の前記被覆部材を前記電源装置に対向するように配置し、前記前面扉を閉じたときに前記電源装置を前方から押圧する押圧部を前記被覆部材に設けたことを特徴とする請求項５記載の遊技機。
【請求項７】
前記電源装置が所定位置に移動した際に、前記電源装置を前記所定位置に固定する固定装置を設けたことを特徴とする請求項１ないし６のいずれか１つに記載の遊技機。
【請求項８】
前記前面扉と前記収納箱との施錠を行う施錠媒体に、前記固定装置による前記電源装置の固定を解除するための識別情報が記憶された記憶手段を有する無線タグを設け、
前記前面扉または前記収納箱に、前記記憶手段に記憶された前記識別情報を読み取る通信手段と、この通信手段が読み取った前記識別情報が予め定められた前記識別情報と一致するか否かを判定する識別情報判定手段と、この識別情報判定手段の判定結果を少なくとも１つの条件として、前記固定装置による前記電源装置の固定を解除する固定解除手段とを設けたことを特徴とする請求項７に記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、前面側が開口された箱型の収納箱と、収納箱の開口部を開閉自在に塞ぐ前面扉とからなり、収納箱の内部に、リールユニット、払出し装置であるホッパーユニット、これらを制御する制御装置等が固定設置され、さらに、パチスロ機の主電源を入れ、各種制御装置に電源を供給するための電源装置が固定設置されている。また、この電源装置は、設定変更など店が遊技機の特性を変更するための操作装置にもなっており、電源供給を行う際に操作される電源供給用スイッチの他に、遊技の際に払い出される遊技媒体のペイアウト率（利益付与確率）の設定変更を行うときに操作される設定変更スイッチが設けられている。前面扉を開くと収納箱の開口から設定変更スイッチが露呈されるような構成になっている。
【発明の開示】
【発明が解決しようとする課題】
【０００３】
しかしながら、上述したようなパチスロ機では、前面扉と収納箱との間に生じる隙間や、前面扉に故意に開けた穴から針金やセル板などの異物を侵入させ、その異物によって電源装置に備えられた設定変更スイッチが操作されるといった問題が生じてしまう。
【０００４】
本発明は上記事情を考慮してなされたもので、電源装置に備えられた設定変更スイッチを操作する不正行為を防止することができるようにした遊技機を提供することを目的とする。
【課題を解決するための手段】
【０００５】
上記目的を達成するために、本発明の遊技機は、遊技の際の利益付与確率を変更するための設定変更操作部が設けられた電源装置と、前記電源装置を収納する収納箱と、前記収納箱に開閉自在に設けられ、前記収納箱の前面に形成された開口を閉塞する前面扉と、を備えたものであり、前記前面扉を開いた際に、前記設定変更操作部が前記開口側を向くように前記電源装置を移動させ、前記前面扉を閉じた際に、前記設定変更操作部が、前記前面扉を開いたときの位置とは異なる位置に前記電源装置を移動させる移動装置を備えたことを特徴とする。
【０００６】
前記移動装置は、前記電源装置を回転させる回転機構を備えていることが好ましい。
【０００７】
前記移動装置は、前記電源装置をスライドさせるスライド機構を備えていることが好ましい。
【０００８】
前記前面扉を開いた際に前記設定変更操作部を露呈し、前記前面扉を閉じた際に前記設定変更操作部を覆う蓋体と、この蓋体を開閉自在に保持するとともに、前記電源装置を保護するケース本体とからなる保護ケース内に前記電源装置を設置することが好ましい。
【０００９】
前記前面扉に、前記前面扉を開いた際に前記設定変更操作部を露呈し、前記前面扉を閉じた際に前記設定変更操作部を覆う被覆部材を設けることが好ましい。
【００１０】
前記電源装置を前記前面扉に向けて付勢する付勢部材を備え、前記前面扉の前記被覆部材を前記電源装置に対向するように配置し、前記前面扉を閉じたときに前記電源装置を前方から押圧する押圧部を前記被覆部材に設けることが好ましい。
【００１１】
前記電源装置が所定位置に移動した際に、前記電源装置を前記所定位置に固定する固定装置を設けることが好ましい。
【００１２】
前記前面扉と前記収納箱との施錠を行う施錠媒体に、前記固定装置による前記電源装置の固定を解除するための識別情報が記憶された記憶手段を有する無線タグを設け、前記前面扉または前記収納箱に、前記記憶手段に記憶された前記識別情報を読み取る通信手段と、この通信手段が読み取った前記識別情報が予め定められた前記識別情報と一致するか否かを判定する識別情報判定手段と、この識別情報判定手段の判定結果を少なくとも１つの条件として、前記固定装置による前記電源装置の固定を解除する固定解除手段とを設けることが好ましい。
【発明の効果】
【００１３】
本発明の遊技機によれば、前記前面扉を開いた際に、前記設定変更操作部が前記開口側を向くように前記電源装置を移動させ、前記前面扉を閉じた際に、前記設定変更操作部が、前記前面扉を開いたときの位置とは異なる位置に前記電源装置を移動させる移動装置を備えることにより、前面扉が閉状態のときには、設定変更操作部は、前面扉が開状態のときとは異なる位置にあり、開状態のときに確認した位置に針金などを突っ込んだりしても、そこに設定変更操作部がないから、針金などによる設定変更操作部への不正操作を防止することができる。
【００１４】
前記移動装置に、前記電源装置を回転させる回転機構を備えることにより、前面扉が開状態のときに収納箱の開口に面していた設定変更操作部が、前面扉が閉状態のときには、例えば、収納箱の開口とは反対側に位置され、開状態のときに確認した位置に針金などを突っ込んだりしても、そこに設定変更操作部がないから、針金などによる設定変更操作部への不正操作を防止することができる。
【００１５】
前記移動装置に、前記電源装置をスライドさせるスライド機構を備えることにより、電源装置を上下方向、あるいは左右方向にスライドさせた場合には、開状態のときに確認した位置に電源装置が存在しないから、針金などによる設定変更操作部への不正操作を防止することができる。また、電源装置を前後方向にスライド可能にし、電源装置を後方、すなわち、収納箱の奥に向けてスライドさせた場合には、針金などを遊技機の内部に突っ込んだとしても、電源装置の位置が遠くなるため、設定変更操作部への不正操作を困難にすることができる。また、電源装置を斜め前方向と斜め後ろ方向にスライド可能にし、電源装置を斜め後ろ方向にスライドさせた場合には、開状態のときに確認した位置に電源装置が存在しないだけでなく、針金などを遊技機の内部に突っ込んだとしても、電源装置の位置が遠くなるため、設定変更操作部への不正操作をより一層困難にすることができる。
【００１６】
前記前面扉を開いた際に前記設定変更操作部を露呈し、前記前面扉を閉じた際に前記設定変更操作部を覆う蓋体と、この蓋体を開閉自在に保持するとともに、前記電源装置を保護するケース本体とからなる保護ケース内に前記電源装置を設置することにより、針金などを遊技機の内部に突っ込んだとしても蓋体が障害物となるので、針金などによる設定変更操作部への不正操作を防止することができる。
【００１７】
前記前面扉に、前記前面扉を開いた際に前記設定変更操作部を露呈し、前記前面扉を閉じた際に前記設定変更操作部を覆う被覆部材を設けることにより、針金などを遊技機の内部に突っ込んだとしても被覆部材が障害物となるため、針金などによる設定変更操作部への不正操作を防止することができる。
【００１８】
前記電源装置を前記前面扉に向けて付勢する付勢部材を備え、前記前面扉の前記被覆部材を前記電源装置に対向するように配置し、前記前面扉を閉じたときに前記電源装置を前方から押圧する押圧部を前記被覆部材に設けることにより、前面扉が閉状態のときには、電源装置は被覆部材の押圧部によって押されて引っ込み、前面扉が開状態のときには、電源装置は付勢部材の付勢力によって前方に突出するから、前面扉の開閉に伴って電源装置の出し入れを行わせることができる。また、被覆部材に押圧部を設けるだけで良く、モータの駆動力を伝達するような駆動機構がいらないので、電源装置の設定変更操作部の保護と、電源装置の出し入れとをコスト掛けず、且つ効率的に行うことができる。
【００１９】
前記電源装置が所定位置に移動した際に、前記電源装置を前記所定位置に固定する固定装置を設けたので、収納箱に収納されている電源装置を強引に引き出すことを防止することができる。さらに、例えば遊技場の従業員が前面扉を開けて設定変更操作部に操作を行う場合には、電源装置が固定されているため、電源装置のガタツキや揺れが抑えられ、位置が安定するので、設定変更操作部への操作が行いやすくなる。
【００２０】
前記前面扉と前記収納箱との施錠を行う施錠媒体に、前記固定装置による前記電源装置の固定を解除するための識別情報が記憶された記憶手段を有する無線タグを設け、前記前面扉または前記収納箱に、前記記憶手段に記憶された前記識別情報を読み取る通信手段と、この通信手段が読み取った前記識別情報が予め定められた前記識別情報と一致するか否かを判定する識別情報判定手段と、この識別情報判定手段の判定結果を少なくとも１つの条件として、前記固定装置による前記電源装置の固定を解除する固定解除手段とを設けることにより、固定装置による電源装置の固定は、識別情報の認証を行った後に解除されるので、セキュリティの度合いをより一層高めることをできる。
【発明を実施するための最良の形態】
【００２１】
以下、本発明の第１の実施形態を図面を参照して説明する。図１及び図２に示すように、スロットマシン２の筺体３は大別して、正面に開口部４を有する収納箱５、収納箱５の開口部４を開閉自在に塞ぐ前面扉６とから構成されており、さらに、この前面扉６は、収納箱５の上部開口４ａを開閉自在に塞ぐ上扉７、筺体の下部開口４ｂを開閉自在に塞ぐ下扉８とから構成されている。
【００２２】
収納箱５は、底板１０、側板１１、天板１３及び裏板１４（図９及び図１０参照）から形成されており、高さ方向略中央部には、２枚の側板１１の間に水平方向に中板１２が設けられている。底板１０にはメダルの払出し装置であるホッパーユニット１４が載置されている。
【００２３】
正面左側の側板１１には、前面扉６を係合させ、回転自在に支持するための係合部１５が設けられている。この係合部１５は、上扉７を係合させ、回転自在に支持するための上部係合部１６と、下扉８を係合させ、回転自在に支持するための下部係合部１７とから構成されており、これらは正面左側の側板１１に、上下方向に間隔を置いてそれぞれ２つずつ設けられている。さらに、上部係合部１６の対向側の側板１１には、上扉７を閉めた際、上扉７をロックするための突出片１８が上下方向に間隔をおいて２つ設けられている。また、下部係合部１７の対向側の側板１１には、下扉８を閉めた際、下扉８をロックするための突出片１９が上下方向に間隔をおいて２つ設けられている。
【００２４】
交換ユニット２０は、種々の部品を設置あるいは固定するための支持体２１、この支持体２１に固定されたリールユニット２２及び基板ユニット（不図示）とから構成されており、中板１２の上に乗せられ、上部開口４ａ内部に収納されている。リールユニット２２は、外周に複数の図柄が一定ピッチで配列されている第１〜第３リール２３〜２５と、特に図示しないが第１〜第３リール２３〜２５を回転させるためのステッピングモータを有している。また、基板ユニットには、スロットマシン２の作動を制御するための制御回路２６（図９参照）が組み込まれており、この制御回路２６は、ＣＰＵ（不図示）を中心にして構成されている。
【００２５】
詳しくは後述するが、中板１２の下面には箱状の支持部材２７を介して電源装置２８が取り付けられている（図７参照）。電源装置２８の前面側には、スロットマシン２の主電源を入れるための電源スイッチ２９ａと、遊技の際の利益付与確率、すなわち大当たりに当選する確率を段階的に変更するための設定変更スイッチ（設定変更操作部）２９ｂとを備えた操作部２９が設けられている。また、電源装置２８には、下扉８の開閉に伴い電源装置２８を回転させる回転機構３０を有する移動装置３１が設けられている（図９参照）。
【００２６】
底板１０上面の正面左側には、ホッパーユニット１４と隣接して、光線の送受を行う投光部３２ａ及び受光部３２ｂからなるフォトセンサである扉開閉検出器３２が載置されている。この扉開閉検出器３２は下扉８が開かれているか否かを検出するためのものである。受光部３２ｂは制御回路２６に接続されており（図９参照）、投光部３２ａから放射された光が受光部３２ｂで受光されると、制御回路２６に検知信号が出力される。
なお、投光部３２ａ及び受光部３２ｂは、光線の送受が行われて、受光及び遮光を検知できるものであればどのようなものでもよい。一般的には、ＬＥＤとフォトダイオードからなる光センサが用いられる。このようなＬＥＤとフォトダイオードからなる光センサは高性能かつ非常に小型化されており、設置スペースがきわめて限定されたスロットマシン２内部に設定する光センサとして好適である。
【００２７】
上扉７は、収納箱５の側板１１に回動自在かつロック可能に形成されている扉であり、前面には第１〜第３リール２３〜２５の図柄を正面側から観察することができる表示窓３３、種々の表示を行うためのＬＣＤパネル３４、エラーコードやメダルのクレジット枚数などを表示するための表示部３５が設けられている。また、上扉７には、演出時に点灯する演出用ランプ３６と、スピーカ３７とが設けられている。
【００２８】
上扉７の裏面には、上部係合部１６に係合可能な回動軸３８が上下方向に間隔をおいて２つ設けられており、回動軸３８は、上部係合部１６に回動自在となるように取り付けられる。また、回動軸３８の対向側には、上扉ロック機構３９が設けられている。上扉ロック機構３９は、図３に示すように、上扉７の裏面側部に固着された固定部４０と、この固定部４０に上下方向に摺動可能に取り付けられた可動部４１と、側板１１に設けられた突出片１８とから構成されている。固定部４０は可動部４１を支持するためのものであり、可動部４１は、側板１１の突出片１８に係合し、上扉７と収納箱５とをロックし、又はロック解除するためのものである。
【００２９】
固定部４０には、ピン４２及びストッパー４３が設けられており、これらで可動部４１を支持している。さらに、固定部４０と可動部４１との間に取り付けられたバネ４４が、可動部４１を常に上方向に引き上げるように働いており、一方可動部４１には段部４５が設けられ、この段部４５がストッパー４３に当接して可動部４１を係止している。
【００３０】
可動部４１には、斜辺４６ａと溝部４６ｂとを有する係止片４６が２つ設けられており、溝部４６ｂに突出片１８が引っ掛かり、かつ可動部４１はバネ４４の弾性復元力によって上方向に引っ張られるので、上扉７と収納箱５とがロックされた状態になる。また、可動部４１の下端には、ロックを解除するための解除つまみ４７が設けられている。解除つまみ４７は、上扉７の下面よりも下方に突出しており、この解除つまみ４７を下に引っ張ると、係止片４６の溝部４６ｂから突出片１８が外れ、ロックが解除される。なお、解除つまみ４７は、下扉８を開かないと操作できないようになっているが、これについては後述する。
【００３１】
開いた状態の上扉７を閉めるときには、係止片４６の斜辺４６ａが突出片１８に当接し、さらに扉を閉める方向に押すと可動部４１は徐々に下に下がっていく。そしてさらに扉を閉める方向に押すと、可動部４１はバネ４４により上方向に引っ張られるので、ついには突出片１８が斜辺４６ａを乗り越えるような形で溝部４６ｂに嵌り込み、係止片４６は突出片１８に係止される。すなわち、上扉ロック機構３９は、扉を閉めれば自動的にロックされるように構成されている。
【００３２】
図１及び図２に示すように、下扉８は、収納箱５の下部開口４ｂを塞ぐための扉であり、収納箱５の側板１１に回動自在かつロック可能に形成されている。
下扉８の上部には、スロットマシン２を作動させるための操作パネル５０が設けられている。操作パネル５０は、ベットボタン５１、ＭＡＸベットボタン５２、第１〜第３リール２１〜２３の回転を別個に停止させるための第１〜第３ストップボタン５３〜５５、第１〜第３リール２１〜２３を回転させるためのスタートレバー５６、ペイアウトボタン５７等の各種の操作ボタンによって構成されている。操作パネル５０の横にはメダル投入口５８が設けられている。
【００３３】
スロットマシン２の前面下方には、メダルを外部に排出するメダル排出口５９と、排出されたメダルが一時的に貯留されるメダル受け皿６０とが設けられている。
下扉８の正面右上には鍵穴６１が設けられている。鍵穴６１は、下扉８を解錠するためのものであり、この鍵穴６１に鍵（施錠媒体）６２（図５参照）を差し込んで回すと、下扉８のロックが解錠される。そして、この下扉８が解錠されることにより、上扉７も開放可能となる。
【００３４】
下扉８の裏面側には、メダル投入口５８から投入されたメダルを適正にホッパーユニット１４に送り出すためのメダルセレクター等の各種装置が設けられている。また、下部係合部１７と係合可能な回動軸６３が上下方向に間隔をおいて２つ設けられており、回動軸６３は、下部係合部１７に回動自在となるように取り付けられる。さらに、下扉８の裏面右隅には、遮光板６４が設けられている。この遮光板６４はＬ字状に屈曲形成された板状部材からなり、Ｌ字の垂直板部分が下扉８の内側面に固着されており、これによってＬ字の水平板部分が扉開閉検出器３２の投光部３２ａと受光部３２ｂの光軸間に突出するようになっている。よって、上扉７が閉められた状態では、扉開閉検出器３２の投光部３２ａから受光部３２ｂに向けて放射される光は、遮光板６４によって遮られる。
【００３５】
また、下扉８の裏面には、電源装置２８を固定するソレノイド（固定装置）６５が設けられている。ソレノイド６５は、ボビン６５ａと駆動鉄芯６５ｂとから構成される。ソレノイド６５の構成及び機能は周知であるので詳細は記載しないが、ソレノイド６５は通電が行われると、ボビン６５ａに巻かれたコイル（図示せず）によって磁界が発生し、駆動鉄芯６５ｂをボビン６５ａの内部に引き込む。そして、ソレノイド６５への通電が停止すると、図示しないバネの復帰力により、ボビン６５ａに引き込まれた駆動鉄芯６５ｂがボビン６５ａの内部から引き出される。
【００３６】
回動軸６３の対向側には、下扉ロック機構６６が設けられている。この下扉ロック機構６６の構造は、上扉７のものとほぼ同様であるので、重複する部分は同一の符号を付してその説明を省略し、上扉７と異なる部分の詳細を説明する。図４に示すように、下扉ロック機構６６は、上扉ロック機構３９の下端にある解除つまみ４７が無い代わりに、下扉８の正面右上に設けられた鍵穴６１に鍵６２を差し込んで解錠するようになっている。鍵穴６１の内部には、特に図示しないが、鍵６２を差し込むと嵌り合うキー溝を有する解錠用鍵と、解錠用シャフト６７とが設けられている。そして、解錠用シャフト６７の先端には、突起を有する解錠用カム６８が形成されている。一方、可動部４１の上端部は突出片６９となっており、この突出片６９には開口７０が設けられている。さらに、開口７０には、解錠用カム６８の突起が係止されている。すなわち、側板１１に設けられた突出片１９が係止片４６の溝部４６ｂに嵌り込み、下扉８が収納箱５にロックされた状態になる。
【００３７】
このロックを解除するときは、鍵穴６１に鍵６２を差し込んで所定方向に回すと、解錠用シャフト６７の先端に設けられた解錠用カム６８が、図４における矢印方向に回転する。このとき、開口７０に係止されている解錠用カム６８の突起が可動部４１を押し下げ、係止片４６の溝部４６ｂから突出片１９が外れ、ロックが解除される。なお、下扉ロック機構６６も、上扉７と同様に、扉を閉めれば自動的にロックされるように構成されている。
【００３８】
ここで、上扉ロック機構３９及び下扉ロック機構６６を用いたスロットマシン２のロック管理について説明する。図１に示すように、閉扉時において、上扉ロック機構３９の解除つまみ４７は、扉内部に隠れて閉まっているので、スロットマシン２の外側から操作可能な解錠手段は、鍵穴６１のみである。したがって、鍵６２を用いて下扉８を開けることはできるが、下扉８が施錠されている状態で上扉７を開けることはできない。また、下扉８を解錠して開くと、上扉ロック機構３９の解除つまみ４７が操作可能となる。したがって、上扉７を解錠するには、下扉８を開けて、解除つまみ４７を引き下げてロックを解除しなければならない。このように、下扉８の鍵６２がなければ上扉７を解錠できないので、下扉８の鍵６２の使用を管理することにより、基板等の一般人には手を触れられたくない部品をガードすることができる。
【００３９】
図５に示すように、鍵６２は、解錠操作を行う際に摘まれる摘み部７１と、鍵穴６１に挿入される挿入部７２とから構成されている。挿入部７２の側周面の一部には溝７２ａが形成されている。この溝７２ａにはシート状に形成されたＲＦＩＤタグ（無線タグ）７３が貼り付けられている。なお、溝７２ａは、ＲＦＩＤタグ７３が周囲の部品などと物理的に干渉することを防止するために設けられている。
【００４０】
図６に示すように、ＲＦＩＤタグ７３は、ＩＣチップ（記憶手段）７４と、ＩＣチップ７４の外面に設けられたアンテナ部７５とからなる。アンテナ部７５は、ＩＣチップ７４の復調回路７４ａ及び変調回路７４ｄに接続されている。アンテナ部７５では、後述するＲＦＩＤリーダ７６から受けた電波が電磁誘導作用により電力として蓄積される。この電力は、ＩＣチップ７４に内蔵された各種回路の電源として利用される。
【００４１】
図６において、ＩＣチップ７４には、復調回路７４ａと、コントローラ７４ｂと、情報記憶回路７４ｃと、変調回路７４ｄとが設けられている。復調回路７４ａは、アンテナ部７５で受信した電波を検波・復調して命令信号を取り出し、取り出した命令信号をコントローラ７４ｂに入力する。コントローラ７４ｂは、入力された命令信号に従って識別情報記憶回路７４ｃを制御する。識別情報記憶回路７４ｃには、鍵６２についての固有のセキュリティ管理番号（識別情報）が記憶されている。また、セキュリティ管理番号は、遊技場で用いられる全ての鍵６２について同一とならないように定められている。
【００４２】
コントローラ７４ｂは、書き込み命令信号、読み出し命令信号、書き換え命令信号が入力されることにより、識別情報記憶回路７４ｃに対し、新たなセキュリティ管理番号の書き込み、記憶されたセキュリティ管理番号の読み出し、記憶されたセキュリティ管理番号の書き換えをそれぞれ行う。コントローラ７４ｂは、読み出し命令信号が入力されることにより、識別情報記憶回路７４ｃから読み出したセキュリティ管理番号を変調回路７４ｄに入力する。変調回路７４ｄは入力されたセキュリティ管理番号を示す電気信号を変調してアンテナ部７５に出力し、アンテナ部７５はセキュリティ管理番号を電波として発信する。セキュリティ管理番号の書き込みと書き換えは鍵６２の製造過程において行われ、遊技場に設置された状態では、特定の暗号情報の入力を行わない限り、セキュリティ管理番号の書き換えが行えないようにされている。
【００４３】
通信手段としてのＲＦＩＤリーダ７６は、図４に示すように、解錠用シャフト６７に隣接して設置されている。図６に示すように、ＲＦＩＤリーダ７６は、アンテナ部７７、復調回路７８、コントローラ７９、変調回路８０、電波発生回路８１を備えている。復調回路７８は、アンテナ部７７で受信したＲＦＩＤタグ７３からの電波を検波・復調してセキュリティ管理番号を取り出し、取り出したセキュリティ管理番号をコントローラ７９に入力する。コントローラ７９は、ＲＦＩＤタグ７３からセキュリティ管理番号を読み出すための読み出し命令信号を変調回路８０に入力する処理と、ＲＦＩＤタグ７３から読み出されたセキュリティ管理番号を制御回路２６に入力する処理と、セキュリティ管理番号が認識できなかったときに読み取りエラー信号を出力する処理とを行う。変調回路８０に入力された読み取し命令信号は、変調された後、電波発生回路８１を介してアンテナ部７７から電波として発信される。
【００４４】
識別情報判定手段、及び固定解除手段としての機能を有する制御回路２６のメモリ（不図示）には、正規のセキュリティ管理番号が記憶されており、制御回路２６では、ＲＦＩＤタグ７３から読み出されたセキュリティ管理番号と、前記メモリに記憶されているセキュリティ管理番号との照合が行われ、ＲＦＩＤタグ７３から読み出されたセキュリティ管理番号の真偽が判定される。制御回路２６によってＲＦＩＤタグ７３から読み出されたセキュリティ管理番号が「真」、すなわち正規のセキュリティ管理番号であると判定された場合、制御回路２６からソレノイド６５に命令信号が送出され、ソレノイド６５と挿通穴２８ａとによって固定されている電源装置２８のロックが解除され、電源装置２８が移動可能な状態となる。
【００４５】
図７及び図８に示すように、中板１２の下面には支持部材２７が固着されている。電源装置２８の上面の中央には電源装置２８と一体に形成された軸受け８１が設けられている。また、電源装置２８の背面には、ソレノイド６５の駆動鉄芯６５ｂが挿入可能な挿入穴２８ａが形成されている（図９及び図１０参照）。
【００４６】
支持部材２７及び電源装置２８には、電源装置２８が所定位置にあるか否かを検出する電源装置位置検出器８２が設けられている。なお、所定位置とは、操作部２９が下部開口４ｂから露呈される下部開口４ｂ側を向く位置（図９参照）、あるいはその位置から１８０度回転させた裏板１４側を向く位置（図１０参照）のことを示す。
【００４７】
電源装置位置検出器８２はフォトセンサからなり、支持部材２７の下面２７ａにおける中央からやや後方には投光部８２ａが設けられ、電源装置２８の上面における軸受け８１よりもやや前方には第１受光部８２ｂ、軸受け８１よりもやや後方、すなわち軸受け８１を中心として第１受光部８２ｂを１８０度回転させた位置には第２受光部８２ｃが設けられている。第１、２受光部８２ｂ、８２ｃのそれぞれの受光面は支持部材２７の投光部８２ａから放射される光を受光できるように電源装置２８の上面から露呈されている。第１、２受光部８２ｂ、８２ｃは制御回路２６に接続されており（図９及び図１０参照）、投光部８２ａから放射された光が第１受光部８２ｂ、または第２受光部８２ｃで検出されると、光を検出した方の受光部から制御回路２６に検知信号が出力される。
【００４８】
図８に示すように、支持部材２７にはモータ８３が内蔵されている。このモータ８３はドライバ８４を介して制御回路２６により制御される（図９及び図１０参照）。支持部材２７の下面２７ａの中央部には円形の挿通孔２７ｂが形成されており、この挿通孔２７ｂからモータ８３の駆動軸８３ａが下方に向けて突出されている。駆動軸８３ａは、電源装置２８の上面に設けられた軸受け８１に挿通され、工業用接着剤、あるいはビス（不図示）などによって軸受け８１に強固に固定される。
このように、本実施形態では、移動装置３１は、制御回路２６と回転機構３０とを備えていて、回転機構３０は、軸受け８１、電源装置位置検出器８２、モータ８３、駆動軸８３ａ、及びドライバ８４を備えている（図９参照）。
【００４９】
図９に示すように、扉開閉検出器３２、ＲＦＩＤリーダ７６、及び電源装置位置検出器８２の第１、２受光部８２ｂ、８２ｃは、制御回路２６に接続されている。下扉８が閉じられた状態では、図１０に示すように、電源装置２８は、電源装置２８の操作部２９が収納箱５の裏板１４の内面１４ａと対面するように配置されている。この状態では、ソレノイド６５に通電が行われず、ボビン６５ａから突出した駆動鉄芯６５ｂが電源装置２８の挿入穴２８ａに挿入された状態になっている。
【００５０】
制御回路２６に、ＲＦＩＤリーダ７６で読み取られたＲＦＩＤタグ７３のセキュリティ管理番号に関する電気信号が入力されると、制御回路２６ではＲＦＩＤタグ７３のセキュリティ管理番号の真偽の判定が行われる。ここで、ＲＦＩＤタグ７３のセキュリティ管理番号が「真」であると判定されると、制御回路２６からソレノイド６５に命令信号が出力される。この命令信号に基づいてソレノイド６５への通電が行われ、駆動鉄芯６５ｂがボビン６５ａの内部に引き込まれる。ソレノイド６５への通電が行われた後、下扉８が開放されて、制御回路２６に扉開閉検出器３２の受光部３２ｂからの検知信号が入力されると、制御回路２６からドライバ８４を介してモータ８３に駆動開始信号が出力され、モータ８３の駆動が開始される。モータ８３の駆動が開始されると、駆動力が駆動軸８３ａを介して電源装置２８に伝わり、図１０に示すように、電源装置２８が円弧矢印方向に回転する。このとき、電源装置位置検出器８２の投光部８２ａから放射された光の第１受光部８２ｂでの受光が中止され、回転が進むとやがて第２受光部８２ｃで受光が行われる。第２受光部８２ｃで光が検出されると、制御回路２６に検知信号が出力され、制御回路２６はドライバ８４を介してモータ８３に駆動停止信号を出力する。駆動停止信号を受けるとモータ８３は駆動を停止する。
【００５１】
下扉８が開かれた状態（図９参照）から閉じられた状態（図１０参照）になると、扉開閉検出器３２の投光部３２ａから放射されている光線が遮断され、受光部３２ｂへの受光が中止される。この中止を受けて、受光部３２ｂから制御回路２６に電気信号が出力される。この電気信号を受けて制御回路２６はドライバ８４を介してモータ８３に駆動開始信号を出力する。命令信号を受けたモータ８３は駆動を開始し、図９に示すように、電源装置２８を円弧矢印方向に回転させる。この回転に伴い、第２受光部８２ｃでの受光は中止され、やがて投光部８２ａからの放射されている光は第１受光部８２ｂで受光される。光が第１受光部８２ｂで受光されると、第１受光部８２ｂから制御回路２６に電気信号が出力され、制御回路２６はドライバ８４を介してモータ８３に駆動停止信号を出力する。この駆動停止信号を受けてモータ８３は駆動を停止する。また、制御回路２６はソレノイド６５に命令信号を出力する。これによりソレノイド６５への通電が停止され、ボビン６５ａから駆動鉄芯６５ｂが突出し、駆動鉄芯６５ｂが電源装置２８の挿入穴２８ａに挿入される。
【００５２】
ソレノイド６５の駆動鉄芯６５ｂが電源装置２８の挿入穴２８ａに挿入されることによって電源装置２８が所定位置に固定される。このように、ソレノイド６５は固定装置として機能する。なお、この場合の所定位置とは、電源装置２８の操作部２９が収納箱５の裏板１４の内面１４ａに対面する位置を示す（図１０参照）。
【００５３】
次に、このようなスロットマシン２の作用について図１１のフローチャートを基に説明する。スロットマシン２の下扉８が閉じられた状態にある場合、下扉８を開放するにあたって、まず鍵穴６１に鍵６２を挿入し、解錠する。このときＲＦＩＤリーダ７６が鍵６２に設けられたＲＦＩＤタグ７３のセキュリティ管理番号を読み取る。ＲＦＩＤリーダ７６は読み取ったセキュリティ管理番号を電気信号として制御回路２６に送出する。制御回路２６はＲＦＩＤリーダ７６で読み取ったセキュリティ管理番号が正規のものであるか否かの判定を行う。制御回路２６がセキュリティ管理番号を正規のものであると判定した場合、制御回路２６はソレノイド６５への通電を行い、電源装置２８の挿入穴２８ａに挿入された駆動鉄芯６５ｂをボビン６５ａの内部に引き込ませ、電源装置２８のロックを解除する。これにより電源装置２８の回転が可能となる。
【００５４】
下扉８を開放すると、扉開閉検出器３２は下扉８が開放されたことを検知し、検知信号を制御回路２６に送出する。この検知信号に応答して制御回路２６はモータ８３の駆動を開始させる。モータ８３の駆動に伴い、図１０に示すように、電源装置２８の操作部２９が収納箱５の裏板１４の内面１４ａに対面するように配置されていた電源装置２８が、円弧矢印方向に回転を開始する。
【００５５】
電源装置２８の回転が進み、電源装置２８が駆動軸８３ａを中心にして１８０度回転すると、やがて電源装置位置検出器８２の第２受光部８２ｃが投光部８２ａからの光を受光し、制御回路２６に検知信号を送出する。この検知信号に応答して制御回路２６はモータ８３の駆動を停止させる。このとき電源装置２８の操作部２９が収納箱５の下部開口４ｂから露呈され、これにより操作部２９への操作が可能となる。
【００５６】
下扉８を閉じると、下扉８の遮光板６４が扉開閉検出器３２の投光部３２ａから放射されている光を遮る。すなわち扉開閉検出器３２の受光部３２ｂによる受光が中止される。受光部３２ｂによる受光が中止されると制御回路２６はモータ８３の駆動を開始させる。このとき、図９の円弧矢印方向に電源装置２８が回転するようにモータ８３の駆動が行われる。
【００５７】
電源装置２８の回転が進み、電源装置２８が駆動軸８３ａを中心に１８０度回転すると、やがて電源装置位置検出器８２の第１受光部８２ｂが受光を行い、第１受光部８２ｂは制御回路２６に検知信号を送出する。この検知信号に応答して制御回路２６はモータ８３の駆動が停止させる。モータ８３の駆動が停止した後、制御回路２６はソレノイド６５への通電を停止させ、図１０に示すように、駆動鉄芯６５ｂを電源装置２８の挿入穴２８ａに挿入させる。これにより電源装置２８の回転移動が不能となる。
【００５８】
以上のように、下扉８が開状態のときに下部開口４ｂに面していた操作部２９が、下扉８が閉状態になると、電源装置２８の操作部２９が収納箱５の裏板１４の内面１４ａに対面するように電源装置２８が回転し、下扉８が開状態のときに確認した位置にスロットマシン２の外部から針金などを突っ込んだりしても、そこに操作部２９がないから、針金などによる操作部２９への不正操作を防止することができる。
【００５９】
上記実施形態では、鍵６２に溝７２ａを設けてその溝７２ａにＲＦＩＤタグ７３を貼り付けたが、これに限ることなく、ＲＦＩＤタグ７３を鍵６２の先端に設けたり、あるいは鍵６２がプラスチック製であれば鍵６２に埋設しても良い。つまり、ＲＦＩＤタグ７３と周囲の部品などとの物理的な干渉が防止されるように、鍵６２にＲＦＩＤタグ７３が設けられていれば良い。なお、この場合、ＲＦＩＤリーダ７６は下扉８に設けられているが、収納箱５に設けても良く、ＲＦＩＤタグ７３との通信が可能となるような箇所に設置されていれば良い。
【００６０】
上記実施形態では、電源装置２８を、下部開口４ｂから露呈された電源装置２８の操作部２９が収納箱５の裏板１４の内面１４ａに対面するように１８０度回転させたが、これに限ることなく、電源装置２８の操作部２９が収納箱５の側板１１の内面に対面するように、９０度回転させても良い。つまり、下扉８を閉じた際に、電源装置２８の操作部２９が下部開口４ｂから露呈されないように電源装置２８を回転させれば良く、電源装置２８の回転量は適宜決定すれば良い。
【００６１】
上記実施形態では、ＲＦＩＤリーダ７６で読み取ったＲＦＩＤタグ７３のセキュリティ管理番号の認証が行われたことを条件にソレノイド６５への通電が行われたが、これに限ることなく、セキュリティ管理番号の認証と、扉開閉検出器３２による下扉８の開閉に関する検知との両方が行われたことを条件にソレノイド６５への通電を行い、ロックを解除するようにしても良く、少なくともセキュリティ管理番号の認証が行われたことを条件にロックが解除されれば、追加条件は適宜に変更可能である。
【００６２】
上記実施形態では、下扉８が閉じられ、電源装置２８が回転して、電源装置２８の操作部２９が収納箱５の裏板１４の内面１４ａに対面する位置に達すると、ソレノイド６５の駆動鉄芯６５ｂが電源装置２８の挿入穴２８ａに挿入されることによって電源装置２８が固定されたが、下扉８が開放されているときの電源装置２８の位置、すなわち、電源装置２８の操作部２９が下部開口４ｂから露呈される位置（図９参照）においても、同様の方法で電源装置２８を固定しても良い。この場合、挿入穴２８ａに対応するように裏板１４にソレノイドを設け、電源装置２８が回転して、操作部２９が下部開口４ｂから露呈された際に、ソレノイドの駆動鉄心を挿入穴２８ａに挿入させる。
【００６３】
上記実施形態では、モータ８３を用いて電源装置２８を回転させたが、これに限ることなく、下扉８と電源装置２８とをリンク機構などで連結し、電源装置２８を下扉８の開閉動作に連動して回転させるようにしても良い。
【００６４】
次に図１２〜１９を参照しながら第２の実施形態について説明する。上記実施形態のものと同様の構成部材には同一の符号を付し、その詳細な説明は省略する。図１２に示すように、収納箱５の底板１０には扉開閉検出器３２が設けられている。下扉８の裏面右隅には、遮光板６４が設けられている。図１８に示すように、扉開閉検出器３２は制御回路９０に接続されている。また、制御回路９０はスロットマシン２の作動を制御するものであり、ＣＰＵ（不図示）を中心にして構成されている。
【００６５】
図１２に示すように、中板１２の下面には電源装置９１が収納される電源装置収納ケース９２がビス（不図示）や工業用接着剤などで固着されている。図１４に示すように、電源装置９１の前面側には、スロットマシン２の主電源を入れるための電源スイッチ９３ａと、遊技の際の利益付与確率、すなわち大当たりに当選する確率を段階的に変更するための設定変更スイッチ（設定変更操作部）９３ｂとを備えた操作部９３が設けられている。また、電源装置９１には、下扉８の開閉に伴い電源装置９１をスライドさせるスライド機構１１７を有する移動装置１１８が設けられている（図１５参照）。下扉８が開放されているときには、図１３に示すように、電源装置９１は、電源装置収納ケース９２の開口９２ａから前方にスライドしながら突出し、下部開口４ｂから電源装置９１の操作部９３が露呈されるような状態となる。
【００６６】
図１４に示すように、電源装置９１には、下面にガイド突起９４が２個設けられている。また、下面後部にはフォトセンサである電源装置位置検出器９５の投光部９５ａが設けられている。電源装置９１の前面上部の左右両端部にはそれぞれ突出片９１ａが形成されている。突出片９１ａは電源装置９１の操作部９３と電源装置収納ケース９２の前蓋９６との接触を防止するためのものであり、電源装置９１が電源装置収納ケース９２から突出する際に、突出片９１ａが前蓋９６に当接することによって前蓋９６の操作部９３への接触が防止される。
【００６７】
図１５に示すように、電源装置９１の上面には前後方向にラック９７が設けられている。また、電源装置９１の左右両側面にはそれぞれ、後述するソレノイド１１４の駆動鉄芯１１４ｂが挿入される挿入穴９１ｂが形成されている。
【００６８】
電源装置収納ケース（保護ケース）９２は、電源装置９１を収納して保護するケース本体９８と、下扉８が閉じられているときに設定変更スイッチ９３ｂを覆う前蓋（蓋体）９６とから構成されている。ケース本体９８は、上カバー９９及び下カバー１００から構成される。
【００６９】
上カバー９９は、上壁１０１、２つの側壁１０２、及び奥壁１４０（図１７参照）とからなり、前部と下部とが開口されている。上壁１０１には、内部にモータ１０３を取り付けるためのモータ取付リブ１０４が形成されており、モータ１０３は、ビス１０５によりモータ取付リブ１０４に取り付けられている。モータ１０３の駆動シャフト１０６に取り付けられたギア１０７は電源装置９１のラック９７に噛合している（図１７参照）。図１８に示すように、モータ１０３はドライバ１０８を介して制御回路９０により駆動が制御される。
【００７０】
下カバー１００は、底壁１０９、２つの側壁１１０、及び奥壁１１１とからなり、前部と上部とが開口されている。底壁１０９には、電源装置９１の装着時に電源装置９１を電源装置収納ケース９２内部の所定位置にガイドする左ガイドレール１１２及び右ガイドレール１１３が設けられている。左ガイドレール１１２及び右ガイドレール１１３は、２個ずつ設けられている。電源装置９１のガイド突起９４を左ガイドレール１１２と右ガイドレール１１３との間に挿入することにより、電源装置９１は左右及び上下方向が位置決めされ、電源装置収納ケース９２内部にまでガイドされる。
【００７１】
底壁１０９後部の左右両端部近傍にはそれぞれソレノイド１１４が設けられている。ソレノイド１１４は、ボビン１１４ａと駆動鉄芯１１４ｂとから構成され、図１８に示すように、制御回路９０に接続されている。下扉８が閉じられた状態では、図１６（ａ）に示すように、ソレノイド１１４の駆動鉄芯１１４ｂは電源装置９１の挿入穴９１ｂに挿入され、電源装置９１を移動不能にロックしている。また、下扉８が開放された状態では、図１６（ｂ）に示すように、ソレノイド１１４の駆動鉄芯１１４ｂはボビン１１４ａの内部に引き込まれ電源装置９１が移動可能となる。このように、ソレノイド１１４は固定装置として機能する。なお、ソレノイド１１４の仕組みの詳細説明については第１の実施形態で説明したので省略する。
【００７２】
底壁１０９の後部と、前部とにはそれぞれ電源装置位置検出器９５の第１受光部９５ｂと第２受光部９５ｃとが設けられている。また、図１７（ａ）に示すように、下扉８が閉じられ、電源装置９１が電源装置収納ケース９２に収納された状態にある場合には、電源装置９１の投光部９５ａと、第１受光部９５ｂの受光面とが対面し、下扉８が開放され、電源装置９１が電源装置収納ケース９２から図１７（ｂ）に示すような位置にまで突出した場合には、電源装置９１の投光部９５ａと、第２受光部９５ｃの受光面とが対面するように第１受光部９５ｂと第２受光部９５ｃとは配置されている。また、第１受光部９５ｂと第２受光部９５ｃとは制御回路９０に接続されている（図１８参照）。第１受光部９５ｂ、第２受光部９５ｃで受光されると、検知信号が制御回路９０に送出される。この検知信号に応答して制御回路９０はモータ１０３の駆動を制御する。
【００７３】
上カバー９９の側壁１０２、及び下カバーの側壁１１０のそれぞれには、ビス１１５（図１３参照）により上カバー９９と下カバー１００とを着脱自在に固定するためのビス締め孔１０２ａ、１１０ａがそれぞれ形成されている。
【００７４】
下カバー１０９の前面下部にはヒンジ１１６によって前蓋（蓋体）９６が軸着されている。上カバー９９と下カバー１００とを接合させることにより形成される開口９２ａ（図１３参照）は、前蓋９６によって開閉自在に閉塞される。特に図示しないが、ヒンジ１１６内部には捩じりバネが設けられている。捩じりバネの一端は下カバー１０９の底壁１０９に、他端は前蓋９６に固着されており、捩じりバネによって前蓋９６は図１５中の円弧矢印方向に付勢されている。
【００７５】
図１８に示すように、扉開閉検出器３２、電源装置位置検出器９５、及びＲＦＩＤリーダ７６は、識別情報判定手段、及び固定解除手段としての機能を有する制御回路９０に接続されている。制御回路９０は、扉開閉検出器３２、電源装置位置検出器９５、及びＲＦＩＤリーダ７６から出力される各種信号に基づいてソレノイド１１４への通電と、モータ１０３の駆動を制御している。
以上のように、本実施形態では、移動装置１１８は、制御回路９０とスライド機構１１７とを備えていて、スライド機構１１７は、ガイド突起９４、電源装置位置検出器９５、ラック９７、モータ１０３、駆動シャフト１０６、ギア１０７、ドライバ１０８、左ガイドレール１１２、及び右ガイドレール１１３を備えている（図１５参照）。
【００７６】
次に、第２の実施形態の作用について図１９に示すフローチャートを参照しながら説明する。スロットマシン２の下扉８が閉じられた状態にある場合、下扉８を開放するにあたって、まず鍵穴６１に鍵６２を挿入し、解錠する（図１及び図５参照）。このときＲＦＩＤリーダ７６が鍵に設けられたＲＦＩＤタグ７３のセキュリティ管理番号を読み取る。ＲＦＩＤリーダ７６は、読み取ったセキュリティ管理番号を電気信号として制御回路９０に送出する。制御回路９０はＲＦＩＤリーダ７６で読み取ったセキュリティ管理番号が正規のものであるか否かの判定を行う。制御回路９０がセキュリティ管理番号を正規のものであると判定し、且つ、下扉８が開放され、制御回路９０に扉開閉検出器３２からの検知信号が入力された場合、制御回路９０はソレノイド１１４への通電を行う。
【００７７】
ソレノイド１１４への通電が行われると、図１６（ａ）に示すように、電源装置９１の挿入穴９１ｂに挿入されたソレノイド１１４の駆動鉄芯１１４ｂが、図１６（ｂ）に示すように、ボビン１１４ａの内部に引き込まれ、電源装置９１のロックが解除され、電源装置９１が前後方向にスライド可能となる。さらに、制御回路９０はモータ１０３に対して駆動開始信号を送出し、モータ１０３は駆動を開始する。モータ１０３が駆動すると、モータ１０３の駆動力がギア１０７、ラック９７を介して電源装置９１に伝わり、電源装置収納ケース９２に収納されていた電源装置９１が（図１７（ａ）参照）、図１７（ｂ）に示すように、前方へスライドを開始する。この際、先ず電源装置９１の前面に形成された突起９１ａが前蓋９６を押圧し、前蓋９６を前方に傾斜させる。その後、電源装置９１の前面下部が前蓋９６の裏面に摺接しながら前蓋９６を押し下げながら前進する。そして、電源装置位置検出器９５の第２受光部９５ｃが受光を行うと、第２受光部９５ｃは制御回路９０に検知信号を送出する。この検知信号を受けて制御回路９０はモータ１０３に対して駆動停止信号を送出し、モータ１０３は駆動を停止する。電源装置９１の操作部９３は収納箱５の下部開口４ｂから露呈され、操作部９３への操作が可能となる。
【００７８】
下扉８を閉じると、下扉８の遮光板６４が扉開閉検出器３２の投光部３２ａから放射されている光を遮る。すなわち扉開閉検出器３２の受光部３２ｂによる受光が中止されると、制御回路９０はモータ１０３の駆動を開始させる。このとき、電源装置９１が後方へスライドするようにモータ１０３の駆動が行われる。
【００７９】
電源装置９１が後方へスライドし、やがて電源装置位置検出器９５の第１受光部９５ｂが受光を行うと、第１受光部９５ｂは制御回路９０に検知信号を送出する。これを受けて制御回路９０はモータ１０３の駆動を停止させる。そして、制御回路９０はソレノイド１１４への通電を停止させ、ボビン１１４ａの内部から駆動鉄芯１１４ｂを突出させる。すると、図１６（ａ）に示すように、駆動鉄芯１１４ｂが電源装置９１の挿入穴９１ｂに挿入される。これにより、電源装置９１は、電源装置収納ケース９２に完全に収納された位置において固定され、移動不能となる。
【００８０】
以上のように、電源装置９１を電源装置収納ケース９２で内抱することにより、仮にスロットマシン２の内部にスロットマシン２の外部から針金などを突っ込まれたとしても、電源装置収納ケース９２を構成している部材のうちの特に前蓋９６が邪魔になるので、針金などによる電源装置９１の操作部９３への操作を防止することができる。また、ソレノイド１１４の駆動鉄芯１１４ｂが電源装置９１の挿入穴９１ｂに挿入されているので、電源装置９１を電源装置収納ケース９２から強引に引き出して操作部９３を露呈させることを防止することができる。
【００８１】
上記実施形態では、電源装置収納ケース９２の前蓋９６を電源装置９１で押圧することにより開放し、捩じりコイルバネの付勢力を用いて閉じるようにしたが、前蓋９６をモータ１０３の駆動力を用いて開閉させても良い。
【００８２】
次に、図２０〜２６を参照しながら第３の実施形態について説明する。上記第１の実施形態のものと同様の構成部材には同一の符号を付し、その詳細な説明は省略する。図２０に示すように、収納箱５の底板１０には扉開閉検出器３２が設けられている。下扉８の裏面右隅には、遮光板６４が設けられている。図２５に示すように、扉開閉検出器３２は制御回路１２０に接続されている。なお、制御回路１２０はスロットマシン２の作動を制御するものであり、ＣＰＵ（不図示）を中心にして構成されている。
【００８３】
図２０及び図２１に示すように、収納箱５には電源装置１２１が設置されている。電源装置１２１の前面側には、スロットマシン２の主電源を入れるための電源スイッチ１２２ａと、遊技の際の利益付与確率、すなわち大当たりに当選する確率を段階的に変更するための設定変更スイッチ（設定変更操作部）１２２ｂとを備えた操作部１２２が設けられている。また、電源装置９１には、下扉８の開閉に伴い電源装置１２１をスライドさせるスライド機構１３１を有する移動装置１３２が設けられている。下扉８が開放されると、図２４に示すように、電源装置１２１は、前方にスライドしながら突出し、下部開口４ｂから電源装置１２１の操作部１２２が露呈されるような状態となる。
【００８４】
下扉８の裏面上部には、下扉８が閉じられているときに電源装置１２１を押圧するとともに、電源スイッチ１２２ａと設定変更スイッチ１２２ｂとからなる操作部１２２を前方から覆うカバー（被覆部材）１２３が電源装置１２１に対向して設けられている。このカバー１２３は下扉８の裏面から後方に向けて突設された支持部材１２４の先端に設けられている。カバー１２３は電源装置１２１の操作部１２２の形状に対応するように矩形状に形成されている。カバー１２３は操作部１２２が収納される収納部１２３ａと、この収納部１２３ａを側方と上方とから囲い、且つ下方が開口された略コ字形状に形成された縁（押圧部）１２３ｂとから構成されている。下扉８が閉じられているとき、電源装置１２１は縁１２３ｂによって前方から押圧される。
【００８５】
中板１２とホッパーユニット１４との間には、電源装置１２１を載置するための載せ台１２５が設けられている。この載せ台１２５は水平に設けられており、側板１１にビス（不図示）などで固定されている。図２１に示すように、載せ台１２５には、左ガイドレール１１２及び右ガイドレール１１３が、２個ずつ設けられている。また、載せ台１２５の後部の左右両端部にはそれぞれ第１ソレノイド１２８が設置されている。第１ソレノイド１２８はボビン１２８ａと駆動鉄芯１２８ｂとで構成されている。
【００８６】
収納箱５の裏板１４の内面１４ａには圧縮コイルバネ（付勢部材）１２９が設けられている。この圧縮コイルバネ１２９は電源装置１２１を前方に向けて付勢するためのものである。図２３及び図２４に示すように、この圧縮コイルバネ１２９の一端は裏板１４の内面１４ａに固着され、他端は電源装置１２１の背面に固着される。
【００８７】
図２４に示すように、中板１２の下面には第２ソレノイド１３０が設けられている。第２ソレノイド１３０は第１ソレノイド１２８と同様にボビン１３０ａと駆動鉄芯１３０ｂとで構成されている。なお、第１、第２ソレノイド１２８、１３０については第１の実施形態のソレノイド６５と同様の仕組みになっているので説明を省略する。
【００８８】
図２１に示すように、電源装置１２１の前部における一方の側面から上面を経由して他方の側面にかけてフランジ１３１が形成されている。電源装置１２１の上面に形成されたフランジ１３１の中央にはタッチセンサ１３２が設けられている。図２５に示すように、このタッチセンサ１３２は制御回路１２０に接続されている。カバー１２３の縁１２３ｂがタッチセンサ１３２に接触すると、検知信号が制御回路１２０に送出される。
【００８９】
図２２に示すように、電源装置１２１の下面にはガイド突起９４が設けられている。第２の実施形態と同様にして、電源装置１２１のガイド突起９４を左ガイドレール１１２と右ガイドレール１１３との間に挿入することにより、電源装置は１２１左右及び上下方向が位置決めされ、載せ台１２５上で前後方向にスライド自在にガイドされる。
【００９０】
電源装置１２１の左右両側面にはそれぞれ第１ソレノイド１２８の駆動鉄芯１２８ｂが挿入可能な第１ソレノイド用挿入穴１２１ａが形成されている。下扉８が完全に閉じられ、下扉８に設けられたカバー１２３により載せ台１２５の前部から後部へと移動させられた電源装置１２１は、第１ソレノイド１２８の駆動鉄芯１２８ｂが第１ソレノイド用挿入穴１２１ａに挿入されることにより移動不能にロックされる。このように、第１ソレノイド１２８は固定装置として機能する。
【００９１】
電源装置１２１の上面には、第２ソレノイド１３０の駆動鉄芯１３０ｂが挿入可能な第２ソレノイド用挿入穴１２１ｂが形成されている。
【００９２】
図２５に示すように、扉開閉検出器３２、ＲＦＩＤリーダ７６、及びタッチセンサ１３２は制御回路１２０に接続されている。識別情報記憶手段、及び固定解除手段としての機能を有する制御回路１２０は、扉開閉検出器３２、ＲＦＩＤリーダ７６、及びタッチセンサ１３２から出力される各種信号に基づいて第１、第２ソレノイド１２８、１３０への通電を制御している。
以上のように、本実施形態では、移動装置１３２は、スライド機構１３１と圧縮コイルバネ１２９とを備えていて、スライド機構１３１は、ガイド突起９４、縁１２３ｂ、左ガイドレール１１２、及び右ガイドレール１１３を備えている。
【００９３】
次に第３の実施形態の作用について図２６のフローチャートを参照しながら説明する。スロットマシン２の下扉８が閉じられた状態にある場合、下扉８を開放するにあたって、まず鍵穴６１に鍵６２を挿入し、解錠する（図１及び図５参照）。このときＲＦＩＤリーダ７６が鍵６２に設けられたＲＦＩＤタグ７３のセキュリティ管理番号を読み取る。ＲＦＩＤリーダ７６は読み取ったセキュリティ管理番号を電気信号として制御回路１２０に送出する。制御回路１２０はセキュリティ管理番号が正規のものであるか否かの判定を行う。制御回路１２０がセキュリティ管理番号を正規のものであると判定し、且つ、下扉８が開放され、制御回路１２０が扉開閉検出器３２からの検知信号を入力した場合、制御回路１２０は第１ソレノイド１２８への通電を行う。すると、図２３（ａ）に示すように、第１ソレノイド用挿入穴１２１ａに挿入された第１ソレノイド１２８の駆動鉄芯１２６ｂが、図２３（ｂ）に示すように、ボビン１２６ａの内部に引き込まれ、電源装置１２１が移動可能な状態となる。
【００９４】
また、図２４（ａ）に示すように、下扉８が閉じられた状態にある場合、下扉８のカバー１２３の縁１２３ｂが電源装置１２１のフランジ１３１を前方より押圧する。タッチセンサ１３２がカバー１２３の縁１２３ｂと電源装置１２１のフランジ１３１との接触を検知し、検知信号を制御回路１２０に送出する。タッチセンサ１３２が制御回路１２０に検知信号を送出し続けている間、制御回路１２０は第２ソレノイド１３０への通電を行う。すなわち、通電が行われている間は、第２ソレノイド１３０の駆動鉄芯１３０ｂはボビン１３０ａの内部に引き込まれた状態となっている。
【００９５】
図２４（ｂ）に示すように、下扉８を開放すると、電源装置１２１は圧縮コイルバネ１２９の付勢力を受けて載せ台１２５から突出し、収納箱５の下部開口４ｂから電源装置１２１の操作部１２２を露呈する。また、カバー１２３の縁１２３ｂが電源装置１２１のフランジ１３１から離れ、タッチセンサ１３２から制御回路１２０に送出されている検知信号が途絶える。これを受けて制御回路１２０は第２ソレノイド１３０への通電を停止させる。すると、ボビン１３０ａの内部から駆動鉄芯１３０ｂが突出し、第２ソレノイド用挿入穴１２１ｂに駆動鉄芯１３０ｂが挿入される。これにより駆動鉄芯１３０ｂがストッパーとなり、操作部１２２への操作を行う際の奥行き方向への揺れやガタツキなどが防止される。
【００９６】
再び下扉８を閉じる場合、まずカバー１２３の縁１２３ｂが電源装置１２１のフランジ１３１に接触し、この接触をタッチセンサ１３２が検知する。タッチセンサ１３２は検知信号を制御回路１２０に送出する。制御回路１２０は第２ソレノイド１３０への通電を行う。すると、第２ソレノイド１３０の駆動鉄芯１３０ｂはボビン１３０ａの内部に引き込まれる。
【００９７】
下扉８をさらに閉じると、カバー１２３の縁１２３ｂによってフランジ１３１が前方から押圧され、電源装置１２１が圧縮コイルバネ１２９の付勢力に抗して後方にスライドする。やがて、下扉８の遮光板６４が扉開閉検出器３２の投光部３２ａから放射されている光を遮る。すなわち扉開閉検出器３２の受光部３２ｂによる受光が中止されると、制御回路１２０は第１ソレノイド１２８への通電を停止させる。すると、図２３（ａ）に示すように、第１ソレノイド用挿入穴１２１ａに第１ソレノイド１２８の駆動鉄芯１２８ｂが挿入され、電源装置１２１が移動不能にロックされる。
【００９８】
このように、カバー１２３によって電源装置１２１の操作部１２２を覆うことにより、仮にスロットマシン２の内部にスロットマシン２の外部から針金などを突っ込まれたとしても、カバー１２３が邪魔となり、針金などによる電源装置１２１の操作部１２２への操作を防止することができる。また、下扉８が閉状態のときには、電源装置１２１はカバー１２３によって押されて引っ込み、下扉８が開状態のときには、電源装置１２１は圧縮コイルバネ１２９の付勢力によって前方に突出するから、下扉８の開閉に伴って電源装置１２１の出し入れを行わせることができる。
【００９９】
また、第１ソレノイド１２８の駆動鉄芯１２８ｂが電源装置１２１の第１ソレノイド用挿入穴１２１ａに挿入されているので、電源装置１２１を載せ台１２５から強引に引き出すことが不可能となる。
【０１００】
上記実施形態では、電源装置１２１にフランジ１３１を設け、このフランジ１３１をカバー１２３の縁１２３ｂで押圧するようにしたが、フランジ１３１を設けずに、カバー１２３の縁１２３ｂで電源装置１２１の操作部１２２を直接的に押圧するようにしても良い。この場合、カバー１２３の縁１２３ｂを、操作部１２２を構成している電源スイッチや設定変更スイッチなどに接触しないように、且つ、下扉８が閉じられている際には、カバー１２３の縁１２３ｂで操作部１２２を覆い、外部から操作部１２２に接触することができないように形成すれば良い。
【０１０１】
なお、本発明はスロットマシンにのみ適用されるものではなく、パチンコ機などの遊技機についても適用することができる。
【図面の簡単な説明】
【０１０２】
【図１】第１の実施形態であるスロットマシンの外観を示す斜視図である。
【図２】スロットマシンの分解斜視図である。
【図３】上扉ロック機構の概略を示す断面図である。
【図４】下扉ロック機構の概略を示す断面図である。
【図５】鍵の外観を示す斜視図である。
【図６】ＲＦＩＤアンテナ装置とＲＦＩＤタグの構成を示すブロック図である。
【図７】支持部材と電源装置の外観を示す斜視図である。
【図８】支持部材の下面側の構成を示す斜視図である。
【図９】本発明にかかる電気的構成を示すブロック図、及び下扉が開放されているときの電源装置の様子を示す平面図である。
【図１０】本発明にかかる電気的構成を示すブロック図、及び下扉が閉じられているときの電源装置の様子を示す平面図である。
【図１１】電源装置の回転、及びロック装置の作動における処理の手順を示すフローチャートである。
【図１２】第２の実施形態であるスロットマシンの分解斜視図である。
【図１３】電源装置収納ケースから電源装置が突出した状態を示す斜視図である。
【図１４】電源装置の下面側の構成を示す斜視図である。
【図１５】電源装置の外観を示す斜視図、並びに電源装置収納ケースの分解斜視図である。
【図１６】（ａ）電源装置が電源装置収納ケースに収納され、ロックされているときの様子を示す平面図である。（ｂ）電源装置のロックが解除されたときの様子を示す平面図である。
【図１７】（ａ）電源装置が電源装置収納ケースに収納されているときの様子を示す断面図である。（ｂ）電源装置が電源装置収納ケースから出現したしたときの様子を示す断面図である。
【図１８】第２の実施形態における本発明にかかる電気的構成を示すブロック図である。
【図１９】電源装置の移動、及びロック装置の作動における処理の手順を示すフローチャートである。
【図２０】第３の実施形態であるスロットマシンの分解斜視図である。
【図２１】載せ台及び電源装置の構成を示す斜視図である。
【図２２】電源装置の下面側の構成を示す斜視図である。
【図２３】（ａ）載せ台上において電源装置が保護カバーに押圧され、且つロックされているときの様子を示す平面図である。（ｂ）保護カバーによる押圧が解除され、ロックが解除されたときの載せ台上の電源装置の様子を示す平面図である。
【図２４】（ａ）下扉が閉じられ、電源装置が載せ台の所定位置に収納されているときの様子を示す断面図である。（ｂ）下扉が開放され、載せ台から電源装置が突出したときの様子を示す断面図である。
【図２５】第３の実施形態における本発明にかかる電気的構成を示すブロック図である。
【図２６】ロック装置の作動における処理の手順を示すフローチャートである。
【符号の説明】
【０１０３】
２    スロットマシン（遊技機）
４    開口部
４ｂ    下部開口
５    収納箱
６    前面扉
８    下扉
２６、９０、１２０    制御回路（識別情報判定手段）（固定解除手段）
２７    支持部材
２８、９１、１２１    電源装置
２９、９３、１２２    操作部
２９ｂ、９３ｂ、１２２ｂ    設定変更スイッチ（設定変更操作部）
３０    回転機構
３１、１１８、１３２    移動装置
３２    扉開閉検出器
６５、１１４    ソレノイド（固定装置）
６５ｂ    駆動鉄芯
２８ａ    挿入穴
６２    鍵（施錠媒体）
７３    ＲＦＩＤタグ（無線タグ）
７４    ＩＣチップ（記憶手段）
７４ａ    復調回路
７４ｂ    変調回路
７４ｃ    識別情報記憶回路
７５    アンテナ部
７６    ＲＦＩＤリーダ（通信手段）
８２、９５    電源装置位置検出器
８３、１０３    モータ
９１ｂ    挿入穴
９２    電源装置収納ケース（保護ケース）
９２ａ    開口
９４    ガイド突起
９６    前蓋（蓋体）
９７    ラック
９８    ケース本体
１０６    駆動シャフト
１０７    ギア
１１２    右ガイドレール
１１３    左ガイドレール
１１７、１３１    スライド機構
１２１ａ    第１ソレノイド用挿入穴
１２３    カバー（被覆部材）
１２３ｂ    縁（押圧部）
１２８    第１ソレノイド（固定装置）
１２９    圧縮コイルバネ（付勢部材）
【図１】
2005211153.tif 000003
【図２】
2005211153.tif 000004
【図３】
2005211153.tif 000005
【図４】
2005211153.tif 000006
【図５】
2005211153.tif 000007
【図６】
2005211153.tif 000008
【図７】
2005211153.tif 000009
【図８】
2005211153.tif 000010
【図９】
2005211153.tif 000011
【図１０】
2005211153.tif 000012
【図１１】
2005211153.tif 000013
【図１２】
2005211153.tif 000014
【図１３】
2005211153.tif 000015
【図１４】
2005211153.tif 000016
【図１５】
2005211153.tif 000017
【図１６】
2005211153.tif 000018
【図１７】
2005211153.tif 000019
【図１８】
2005211153.tif 000020
【図１９】
2005211153.tif 000021
【図２０】
2005211153.tif 000022
【図２１】
2005211153.tif 000023
【図２２】
2005211153.tif 000024
【図２３】
2005211153.tif 000025
【図２４】
2005211153.tif 000026
【図２５】
2005211153.tif 000027
【図２６】
2005211153.tif 000028